(57)【要約】【課題】  着用者を過度に締め付けることなく、腹側部上縁部のずり落ちを効果的に防止することができるパンツ型使い捨ておむつを提供すること。【解決手段】  腹側部、背側部及びその間に位置する股下部を有し、ウエスト開口部及び一対のレッグ開口部を有するパンツ型使い捨ておむつであり、腹側部におけるおむつ幅方向中央部に、おむつ縦方向の伸縮性がおむつ幅方向の伸縮性よりも高くなされた縦伸縮部Ｅを有しており、且つ前記腹側部の内面側における、ウエスト開口部の縁部２２ａ近傍に、該内面側における他の部位よりも摩擦係数が高い高摩擦部Ｆが設けられている。【選択図】    図３
2006130140.tif 000002
【特許請求の範囲】
【請求項１】
腹側部、背側部及びその間に位置する股下部を有し、ウエスト開口部及び一対のレッグ開口部を有するパンツ型使い捨ておむつであって、
腹側部におけるおむつ幅方向中央部に、おむつ縦方向の伸縮性がおむつ幅方向の伸縮性よりも高くなされた縦伸縮部を有しており、且つ前記腹側部の内面側における、ウエスト開口部の縁部近傍に、該内面側における他の部位よりも摩擦係数が高い高摩擦部が設けられているパンツ型使い捨ておむつ。
【請求項２】
吸収性コアを具備する吸収性本体と、該吸収性本体の非肌当接面側に位置して該吸収性本体を固定している外装体とからなり、前記縦伸縮部は、該外装体に形成されている請求項１記載のパンツ型使い捨ておむつ。
【請求項３】
前記吸収性本体は、その長手方向の腹側部側に、前記外装体に接合されていない非固定部を有しており、前記縦伸縮部の全体又は一部が、該非固定部と重なって存在している請求項２記載のパンツ型使い捨ておむつ。
【請求項４】
前記吸収性本体の腹側部側の長手方向端部の肌当接面側が、該吸収性本体を横断するように配されたシートに被覆されており、該シートは、該吸収性本体の幅方向の左右の両外方において前記外装体に接合されている一方、該吸収性本体の肌当接面上には接合されていない請求項２又は３記載のパンツ型使い捨ておむつ。
【発明の詳細な説明】
【技術分野】
【０００１】
本発明は、パンツ型使い捨ておむつに関する。
【背景技術】
【０００２】
従来、使い捨ておむつとして、下着のパンツと同様にして着用することのできるパンツ型のおむつが知られている。
パンツ型おむつにおいては、いわゆる展開型のおむつのようにファスニングテープを用いて締め付けの程度を調整できないため、ウエスト開口部やそのやや下方に弾性部材を配して着用者に対するフィット性を向上させている。
しかし、従来のおむつにおいては、着用者の活動により、おむつがずり落ちることがある。その対策としては、ウエスト開口部の締め付け力を高めることが考えられるが、着用者をあまり強く締め付けることは好ましくない。
【０００３】
特許文献１には、ウエスト回りに配されるウエストバンドの身体向き内面に、静摩擦係数の高い保持帯域を設けたおむつが提案されている。また、特許文献２には、外カバーと、外カバー内に配置された吸収手段とを備えた使い捨て下着であって、外カバーを弾性的に伸縮自在なものとし、外カバーと吸収体とを特定の態様で固定したものが記載されている。
【０００４】
【特許文献１】特表２００２−５４３９２６号公報
【特許文献２】特開昭６２−１６２００２号公報
【発明の開示】
【発明が解決しようとする課題】
【０００５】
特許文献１のおむつにおいては、おむつ全体が大きくずれ落ちるようなことは防止できると思われるが、着用者が、腰を曲げたり伸ばしたりするような活動を行った場合に生じる、腹側部上縁部のずり落ちを防止することができない。
特許文献２の使い捨て下着については、フィット性は向上すると思われるが、上述したような、腹側部上縁部のずり落ちを防止することができない。
【０００６】
従って、本発明の目的は、着用者を過度に締め付けることなく、腹側部上縁部のずり落ちを効果的に防止することができるパンツ型使い捨ておむつを提供することにある。
【課題を解決するための手段】
【０００７】
本発明は、腹側部、背側部及びその間に位置する股下部を有し、ウエスト開口部及び一対のレッグ開口部を有するパンツ型使い捨ておむつであって、腹側部におけるおむつ幅方向中央部に、おむつ縦方向の伸縮性がおむつ幅方向の伸縮性よりも高くなされた縦伸縮部を有しており、且つ前記腹側部の内面側における、ウエスト開口部の縁部近傍に、該内面側における他の部位よりも摩擦係数が高い高摩擦部が設けられているパンツ型使い捨ておむつを提供することにより前記目的を達成したものである。
【発明の効果】
【０００８】
本発明の使い捨ておむつによれば、着用者を過度に締め付けることなく、腹側部上縁部のずり落ちを効果的に防止することができる。
【発明を実施するための最良の形態】
【０００９】
以下本発明を、その好ましい実施形態に基づき図面を参照しながら説明する。
本発明の一実施形態としてのパンツ型使い捨ておむつ１（以下、おむつ１という）は、幼児用のおむつであり、図１に示すように、ウエスト開口部２２及び一対のレッグ開口部２３，２３を有するパンツ型の形態を有している。
おむつ１は、図３に示すように、液透過性の表面シート２、液不透過性（難透過性も含む）の裏面シート３及び両シート２，３間に介在された液保持性の吸収性コア４を有する吸収性本体５と、該吸収性本体５の外側（非肌当接面側）に位置して該吸収性本体５を接合固定している外装体１０とからなる。
おむつ１は、図１及び図２に示すように、着用時に着用者の腹側に配される腹側部Ａと、着用者の背側に配される背側部Ｂと、その間に配される股下部Ｃとに区分される。股下部Ｃは、レッグ開口部形成用の凹欠部を左右両側に有している。外装体１０は、図１に示すように、背側部Ａを形成する部分の両側縁部と腹側部Ｂを形成する部分の両側縁部とが公知の接合手段により互いに接合されており、これにより、一対のサイドシール部２１及び上述した各開口部２２，２３，２３が形成されている。
【００１０】
吸収性本体５は、図２に示すように、縦長矩形状をなし、その長手方向を、展開且つ伸長状態のおむつ（図２参照）の長手方向に一致する向きとされて、接着剤６により、おむつの幅方向中央部（外装体１０の幅方向中央部に同じ）に接合されている。
吸収体コア４は、長手方向中央部が括れた形状（砂時計状の形状）をなしており、表面シート２及び裏面シート３間に挟持固定されている。吸収性コア４は、パルプ繊維等の親水性繊維を主体とする繊維集合体からなり、図示しないティッシュペーパ、透水性の不織布等からなる透水性の被覆シート（図示せず）で被覆されている。吸収性コア４には、吸水性ポリマーを含ませることもできる。
【００１１】
外装体１０は、図１及び図３に示すように、２枚のシート１１，１２と、これら両シート間に固定された各部の弾性部材１３，１４，１５，１６とからなる。具体的には、２枚のシート１１，１２間には、ウエスト部弾性部材１３、レッグ部弾性部材１４、胴回り部弾性部材１５及び縦伸縮部形成用の弾性部材１６がそれぞれ伸長状態で固定されている。
ウエスト部弾性部材１３は、ウエスト開口部２２の周縁部に、開口周縁に沿って配されており、ウエストギャザーを形成している。レッグ部弾性部材１４は、レッグ開口部２３の周縁部に、開口周縁に沿って配されて、レッグギャザーを形成している。胴回り部弾性部材１５は、ウエスト開口部２２の開口周縁から下方に３０ｍｍ離間した位置からレッグ開口部２３，２３の上端の高さ位置までの領域である胴回り部Ｄに、胴周囲方向と略平行に配されて、胴回りギャザーを形成している。胴回り部弾性部材１５は、腹側部Ａの左右両側部に分割配置されている。左右の各胴回り弾性部材１５は、おむつ幅方向中央部側の端部が、吸収性コア４の側縁の位置より若干内側に位置している。左右の各胴回り弾性部材１５は、吸収性コア４の側縁よりおむつ幅方向外方において弾性伸縮性を発現する一方、吸収性コア４の幅方向中央部には存在していない。胴回り部弾性部材１５は、腹側部Ａの左右両側部に分割配置するのに代えて、胴回り部の全周に亘って配することもできる。
【００１２】
本おむつ１は、腹側部Ａにおけるおむつ幅方向中央部に、縦伸縮部Ｅを有している。縦伸縮部Ｅは、おむつ縦方向の伸縮性がおむつ幅方向の伸縮性よりも高くなされた部分であり、おむつ幅方向の伸縮性は有していても有していなくても良い。
【００１３】
おむつ縦方向の伸縮性がおむつ幅方向の伸縮性よりも高いか否かは、例えば、下記方法で測定した伸張率を比較することにより判断できる。
〔伸張率の測定〕
縦伸縮部Ｅの最上部から幅３０ｍｍ、長さ３０ｍｍのサンプルを切り出し、つかみ間隔２０ｍｍ、荷重３００ｃＮ時の荷重時の伸張率を測定すること以外は、ＪＩＳ Ｌ  １０９６ 一般織物試験法の８．１４．１ 伸張率のＡ法（定速伸張法）により、縦方向と横方向の伸張率を測定する。伸張率は、下記式（１）で求められる。
伸張率［％］＝（Ｌ−２０）／２０×１００・・・（１）
（但し、式中、Ｌ：荷重３００ｃＮ時のサンプルつかみ間隔長さ［ｍｍ］。）
【００１４】
縦伸縮部Ｅは、上述の方法により求めたおむつ縦方向の伸張率の値ａが、上述の方法により求めたおむつ幅方向の伸張率の値ｂよりも大きいことが好ましく、特に前記値ａが前記値ｂより１．５〜１０倍大きいことが好ましい。
また、前記値ａは、１０〜４００％が好ましく、特に５０〜３００％が好ましい。
【００１５】
おむつ１における縦伸縮部Ｅは、図１〜図３に示すように、外装体１０の幅方向中央部における両シート１１，１２間に、前記弾性部材１６を伸長状態で固定して形成されている。
弾性部材１６は、糸状をなし、胴回り部Ｄの周方向に１〜５０ｍｍ程度の間隔を開けて複数本配置されている。各弾性部材１６は、おむつ縦方向（展開且つ伸長状態のおむつにおいては、おむつ長手方向）と略平行に配されている。図１には、４本の弾性部材１６を示したが、弾性部材１６の本数は、例えば、２〜１００本程度とすることができ、３〜２０本程度とすることが好ましい。
【００１６】
縦伸縮部Ｅは、外装体１０の構成材料として、おむつ縦方向の伸縮性がおむつ幅方向の伸縮性よりも高い伸縮性素材を用いることによって形成することもできる。そのような伸縮性素材としては、エラストマー繊維を構成繊維として含む伸縮性不織布や、伸縮性フィルム、伸縮性不織布と伸縮性フィルム等を複合した伸縮複合シート等を用いることができるが、充分な通気性を確保する観点から伸縮性不織布が好ましい。
前記エラストマー繊維としては、スチレン系エラストマー繊維、ポリアミド系エラストマー繊維、ポリウレタン系エラストマー繊維やポリオレフィン系エラストマー繊維等が挙げられる。
伸縮性不織布は、多層の構造を有するものであっても良く、肌触りの観点から、エラストマー繊維を構成繊維として含む伸縮性不織布の肌に当接する部分に、オレフィン系繊維からなる不織布を積層してなるものが好ましい。
【００１７】
縦伸縮部Ｅは、腹側部上縁部のずり落ち防止の観点から、おむつ縦方向に少なくとも２０ｍｍ以上伸縮可能であることが好ましく、特に３０〜２００ｍｍ伸縮可能であることが好ましい。
【００１８】
おむつ１においては、図２及び図３に示すように、腹側部Ａの内面側における、ウエスト開口部２２の縁部２２ａ近傍に、該内面側における他の部位よりも摩擦係数が高い高摩擦部Ｆが設けられている。図２中、散点模様を付した部分が高摩擦部Ｆである。
【００１９】
おむつ１においては、外装体１０を構成する一方のシート１２が他方のシート１１よりもおむつ長手方向に長く、その一方のシート１２の他方のシート１１より延出した部分は、ウエスト開口部の縁部２２ａで肌当接面側に折り返されている。その折り返し部分１２ａが、ウエスト開口部２２近傍におけるおむつ内面を形成している。
おむつ１における高摩擦部Ｆは、その折り返し部分１２ａの肌当接面側に、帯状の高摩擦シート１７を、公知の接合手段（接着剤、ヒートシール等）により固定して形成されている。高摩擦シート１７の形成材料としては、  エラストマー繊維を使った不織布、極細繊維不織布、異形断面繊維不織布やエラストマー樹脂を使ったフィルム等を用いることができる。
【００２０】
高摩擦部Ｆ及びその他の部分の摩擦係数は、引張速度を３００mm/分にする以外は、ＪＩＳ  Ｋ  ７１２５  プラスチック−フィルム及びシート−摩擦係数試験方法に準拠して測定することができる。
高摩擦部Ｆの摩擦係数は、腹側部上縁部のずり落ち防止の観点から、おむつ着用状態において、縦伸縮部Ｅがおむつ縦方向に２０ｍｍ伸長した時点（好ましくは３０ｍｍ伸長した時点）で、着用者の肌との間で実質的にずれが生じないような摩擦抵抗を生じることが好ましい。
【００２１】
具体的には、高摩擦部Ｆの摩擦係数は、アクリル板に対して上述の方法で測定した値が、０．５以上であることが好ましく、より好ましくは０．７以上である。
【００２２】
本おむつ１における高摩擦部Ｆは、ウエスト開口部の周縁部に形成されたウエストギャザー上に形成されており、腹側部Ａの全幅に亘っている。
高摩擦部Ｆは、腹側部上縁部のずり落ち防止の観点から、少なくともおむつ幅方向の中央部に形成されていることが好ましく、更に腹側部Ａのウエスト周方向の長さが、腹側部Ａ全幅の２０〜１００％、特に５０〜１００％であることが好ましい。
また、高摩擦部Ｆは、ウエスト開口部の縁部２２ａから下方に３０ｍｍまでの範囲に形成されていることが好ましい。内面側における他の部位よりも摩擦係数が高いとは、少なくとも上述した胴回り部Ｄにおける平均的な摩擦係数よりも高ければ良い。
【００２３】
本おむつ１における吸収性本体５は、図２及び図３に示すように、その長手方向の腹側部側に、外装体１０に接合されていない非固定部５１を有しており、縦伸縮部Ｅの全体又は一部が、該非固定部５１と重なって存在している。
非固定部５１は、ウエスト開口部の縁部２２ａから該非固定部５１の下端部５２までの距離Ｌ〔図３（ａ）参照〕が５０〜２００ｍｍ、特に７０〜１５０ｍｍであることが好ましい。また、非固定部５１は、吸収性本体５の腹側部側の長手方向端縁５ａから下端部５２までの距離Ｌ１〔図３（ａ）参照〕が３０〜１５０ｍｍ、特に５０〜１００ｍｍであることが好ましい。
【００２４】
縦伸縮部Ｅは、そのおむつ縦方向の長さＬ２の５０〜１００％、特に  ８０〜１００％が非固定部５１と重なって存在していることが、吸収性コアや吸収性本体５の長さを確保しつつ、縦伸縮部Ｅの伸縮可能な長さを充分に確保する観点から好ましい。同様の観点から、縦伸縮部Ｅと非固定部５１とが重なる長さ（おむつ縦方向の重なり長さ）は、３０〜２００ｍｍ、特に５０〜１００ｍｍであることが好ましい。
【００２５】
本おむつ１における非固定部５１は、吸収性本体５の腹側部側の長手方向端縁５ａにおけるおむつ幅方向の幅が、吸収性本体５の全幅に亘っている。図２には、吸収性本体５と外装体１０とが接合されている領域が斜線部で示されており、吸収性本体５の斜線部以外の部分は外装体１０に接合されていない。
【００２６】
本実施形態のおむつ１は、通常のパンツ型おむつと同様にして着用することができる。その着用状態においては、図４（ａ）に示すように、高摩擦部Ｆが、着用者の腹部Ｍにおける臍部Ｈ付近の肌面に当接する。図４（ａ）は、着用者が、床や椅子等に座って、あるいは腰をかがめて、腰を曲げている状態である。そして、その状態から着用者が腰を伸ばすと、着用者の腹部Ｍの皮膚は上下方向に大きく伸長するが、高摩擦部Ｆと着用者の肌面との間にずれが生じにくいことと、縦伸縮部Ｅが皮膚の伸長に追従して伸長することによって、図４（ｂ）に示すように、腹側部上縁部（ウエスト開口部の上縁部）は、着用者の肌面上の当初の当接位置からずれない。そして、着用者が再び腰を曲げると、縦伸縮部Ｅが皮膚の収縮に追従して収縮し、図４（ｃ）に示すように、おむつの状態は、腰を伸ばす前と同様の状態となる。以上、腰を曲げた状態から伸ばした状態への変化を例にして説明したが、腰を曲げた状態において、お腹を凹ませた状態から膨らませた状態に変化させた場合も同様である。
【００２７】
図４（ｄ）〜（ｅ）は、図４（ａ）〜（ｃ）に対応する図であり、従来のおむつの場合を図示したものである。高摩擦部Ｆを欠く場合、縦伸縮部Ｅを欠く場合及び両者を欠く場合は、何れも、図４（ｅ）の段階で、腹側部上縁部の位置が当初の当接位置からずれてしまう結果、図４（ｅ）のように、腹側部上縁部のずれが生じてしまう。
【００２８】
本おむつ１においては、図２及び図３に示すように、上述したシート１２の折り返し部分１２ａ（吸収性本体を横断するように配されたシート）によって、吸収性本体５の腹側部側の長手方向端部の肌当接面側が被覆されており、該折り返し部分１２ａは、吸収性本体５の幅方向の左右の両外方においては、図３（ｂ）に示すように、接着剤６１又は熱若しくは超音波シール等の公知の接合手段によって、外装体１０に接合されている一方、図３（ａ）に示すように、吸収性本体５の肌当接面上には接合されていない。これにより、折り返し部分１２ａの形成材料として、おむつ縦方向の伸縮性が無い或いは低いものを用いた場合であっても、縦伸縮部Ｅの伸縮性を阻害することを防止でき、また、吸収性本体５が外装体１０から大きく浮かび上がることを防止できる。
【００２９】
以上、本発明の好ましい実施形態について説明したが、本発明は、上述した実施形態に制限されず、本発明の趣旨を逸脱しない範囲で種々変更が可能である。
例えば、吸収性本体５の非固定部５１は、図５（ａ）〜（ｃ）に示すような形態で形成されていても良い。図５においては、格子模様を付した箇所が、吸収性本体５と外装体１０とが接合された部分で、それ以外の箇所は接合されていない。このような態様で接合されていても、縦伸縮部の伸縮性が、吸収性本体５の剛性によって阻害されることを防止できる。
【００３０】
また、シート１２の折り返し部分１２ａ（吸収性本体を横断するように配されたシート）による、外装体１０の縦伸縮部の伸縮阻害は、図６又は図７に示すような構成によっても防止することができる。図６に示す実施形態においては、折り返し部分１２ａを三つ折り状に折り畳んで折り込み部１２ｂを形成することによって、折り返し部分１２ａの長さを可変としてある。図７に示す実施形態においては、外装体１０を、おむつ縦方向に伸縮する材料から構成し、折り返し部分１２ａにおむつ縦方向の伸縮性を持たせている。この場合、ウエスト開口部７の上縁部２２ａと吸収性本体５の端部５ａとの間の距離を広くとることによって、この間の領域を縦伸縮部として機能させることができる。
また、吸収性本体を横断するように配されたシートは、シート１２の折り返し部１２ａに代えて、それとは別体のシートを配置しても良い。
【００３１】
図３において、弾性部材１６を無くし、シート１１、１２として伸張性不織布使用の縦伸縮性のシートを使っても良い。この場合、縦伸縮部材を新たにつける必要が無く、構成が簡略化できる利点がある。
【００３２】
また、外装体１０は、シートが２枚の積層され接着されたものに限られず、シートが１枚のもの又は３枚以上のシートが積層されたものであっても良い。また、吸収性本体５の裏面シートは、液不透過性のものに代えて液透過性のものであっても良い。本発明の使い捨ておむつは、成人用のおむつであっても良い。
【図面の簡単な説明】
【００３３】
【図１】図１は、本発明のパンツ型使い捨ておむつの一実施形態を腹側部側から見た状態を示す斜視図である。
【図２】図２は、図１に示すおむつの伸張且つ展開状態を示す平面図である。
【図３】図３（ａ）は、図２のII−II線断面図、図３（ｂ）は、図２のIII−III線断面図である。
【図４】図４は、本発明の作用効果を説明するための図で、図４（ａ）〜（ｃ）は、本発明の場合、図４（ｄ）〜（ｆ）は従来のおむつの場合を示す図である。
【図５】図５（ａ）〜（ｃ）は、それぞれ、本発明の他の実施形態を示す図である。
【図６】図６は、本発明の更に他の実施形態を示す図であり、図６（ａ）は、おむつの腹側部をおむつ内面側から見た図、図６（ｂ）は、図６（ａ）のIV−IV線断面である。
【図７】図７は、本発明の更に他の実施形態を示す図である。
【符号の説明】
【００３４】
１  使い捨ておむつ
４  吸収性コア
５  吸収性本体
１０  外装体
Ａ    背側部
Ｂ    腹側部
Ｃ    股下部
Ｅ    縦伸縮部
Ｆ    高摩擦部
【図１】
2006130140.tif 000003
【図２】
2006130140.tif 000004
【図３】
2006130140.tif 000005
【図４】
2006130140.tif 000006
【図５】
2006130140.tif 000007
【図６】
2006130140.tif 000008
【図７】
2006130140.tif 000009